(57)【要約】【課題】左右の最後方歯を結ぶ歯列に沿った長さが変化した場合であっても、歯列矯正ワイヤの端部を突き出させることなく、快適で安全な最後方歯用の歯列矯正ブラケットを提供する。【解決手段】最後方歯用の歯列矯正ブラケット１００を、歯列矯正ワイヤ３００を案内するための案内孔１１１が設けられたチューブ状の本体部１１０と、本体部１１０を最後方歯（第一大臼歯２０６）の頬側面又は舌側面に固定するための固定基部１２０とを備えたものとして、案内孔１１１の長さを５ｍｍ以上とし、歯列矯正ワイヤ３００の端部を案内孔１１１の内部に収容できるようにした。【選択図】図４
2007289346.tif 000002
【特許請求の範囲】
【請求項１】
歯列矯正ワイヤを案内するための案内孔が設けられたチューブ状の本体部と、本体部を最後方歯の頬側面又は舌側面に固定するための固定基部とを備えた最後方歯用の歯列矯正ブラケットであって、前記案内孔の長さが５ｍｍ以上であり、歯列矯正ワイヤの端部を前記案内孔の内部に収容できるようにしたことを特徴とする歯列矯正ブラケット。
【請求項２】
固定基部を帯状に形成し、本体部を固定基部の一方の面に設け、固定基部の他方の面を前記最後方歯に接着することによって本体部を前記最後方歯の頬側面又は舌側面に固定できるようにした請求項１記載の歯列矯正ブラケット。
【請求項３】
本体部及び固定基部の後端を前記最後方歯が配される側に折り曲げて、本体部及び固定基部の後端を前記最後方歯の隅角部に沿わせることができるようにした請求項２記載の歯列矯正ブラケット。
【請求項４】
固定基部を環状に形成し、本体部を固定基部の外面に設け、固定基部を前記最後方歯の外側に嵌め込むことによって本体部を前記最後方歯の頬側面又は舌側面に固定できるようにした請求項１記載の歯列矯正ブラケット。
【請求項５】
前記最後方歯と他の歯とを連結する弾性材を掛けるためのフックを備えた請求項１〜４いずれか記載の歯列矯正ブラケット。
【発明の詳細な説明】
【技術分野】
【０００１】
本発明は、歯列を矯正する際に最後方歯に固定される最後方歯用の歯列矯正ブラケットに関する。
【背景技術】
【０００２】
従来から、歯列矯正ワイヤ（アーチワイヤ）と呼ばれる金属線材を歯列に沿わせた状態でそれぞれの歯に固定することにより、歯列を矯正することが行われている（例えば、特許文献１）。歯列矯正ワイヤが掛け渡されるそれぞれの歯には、歯列矯正ワイヤの周部を締め付けて固定するための歯列矯正ブラケットが固定される。歯列矯正ワイヤが掛け渡されたそれぞれの歯は、歯列矯正ワイヤの復元力によって、望ましい位置へと導かれるようになる。この歯列矯正技術は、現在、多くの矯正歯科で採用されているが、以下のような欠点を有していた。
【０００３】
すなわち、歯列矯正ブラケットへの歯列矯正ワイヤの固定は、結紮線と呼ばれるワイヤを歯列矯正ブラケットに結びつけることによって行われるのが一般的となっており、細かい手作業を要するものであった。このため、歯列矯正ワイヤの固定は、手間と時間がかかり、歯科医と患者の双方に多大な負担を強いるものとなっていた。
【０００４】
また、この際、結紮線の端部を折り曲げて丸めるなどの処理を適切に行っていないと、突き出た結紮線の端部によって患者の口内が傷つけられるおそれもあった。さらに、結紮線の結び目などに食べかすが溜まりやすく、頻繁に清掃する必要があるなど、メンテナンスが容易なものではなかった。
【０００５】
そして、この種の歯列矯正技術では、歯に大きなトルクが加えられるようになるために、痛みを生ずることがあり、患者に敬遠されることも多かった。さらに、この種の歯列矯正技術は、矯正後の後戻りが大きく、必ずしも歯列の矯正を効率的にできるものとはいえなかった。
【０００６】
このような実状に鑑みてか、近年には、歯列矯正ワイヤを歯列矯正ブラケットに固定しない歯列矯正技術が注目されるようになってきている（例えば、特許文献２）。この歯列矯正技術は、ローフリクションテクニックと呼ばれており、歯列矯正ワイヤを歯列矯正ブラケットに対して摺動できる状態で支持することによって行われる。これにより、結紮線を用いる必要がなくなるので、結紮線を歯列矯正ブラケットに結びつける手間や時間を削減できるだけでなく、患者の口内が結紮線により傷つけられないようにすることができる。また、口内を清潔に保つことも容易になる。
【０００７】
そして、ローフリクションテクニックでは、歯に適切なトルクが加えられるようになるために、痛みを生ずることも少なく、患者の苦痛を大幅に軽減することができる。さらに、歯根や歯槽骨に過大な負荷がかからないために、歯根や歯槽骨を痛めにくく、歯の健康を損なわせることなく歯列を矯正することができる。
【０００８】
さらにまた、意外なことではあるが、歯列矯正ワイヤを歯列矯正ブラケットに位置固定して歯列を矯正するよりも、ローフリクションテクニックを用いて歯列を矯正する方が、歯を短時間で所望の位置に移動させることができるという報告もされている。そればかりか、矯正後の後戻りも少ないとの報告もされている。
【０００９】
このように、ローフリクションテクニックは、それまでの歯列矯正技術では得ることのできなかった様々な効果を奏することができるために、今後、歯列矯正技術の主流となることが期待されている。しかし、ローフリクションテクニックは、未だ発展途上であり、それに用いる歯列矯正ブラケットも改良の余地が残されている。
【００１０】
例えば、ローフリクションテクニックでは、歯列矯正ワイヤが突っ張らないようにするために、最後方歯の歯列矯正ブラケットにおいても、歯列矯正ワイヤを摺動可能な状態で支持させていた。このため、歯列が整うにつれて左右の最後方歯を結ぶ歯列に添った長さが短くなってくると、最後方歯に固定された歯列矯正ブラケットから歯列矯正ワイヤの端部が突き出るようになっていた。突き出た歯列矯正ワイヤの端部は、患者の口内を刺激して、患者に痛みを感じさせるおそれがある。
【００１１】
【特許文献１】特開２００５−３２３７２１号公報
【特許文献２】特表２００５−５３０５９８号公報
【発明の開示】
【発明が解決しようとする課題】
【００１２】
本発明は、上記課題を解決するために為されたものであり、左右の最後方歯を結ぶ歯列に沿った長さが変化した場合であっても、歯列矯正ワイヤの端部を突き出させることなく、快適で安全な最後方歯用の歯列矯正ブラケットを提供することが可能になる。
【課題を解決するための手段】
【００１３】
上記課題は、歯列矯正ワイヤを案内するための案内孔が設けられたチューブ状の本体部と、本体部を最後方歯の頬側面（きょうそくめん）又は舌側面（ぜっそくめん）に固定するための固定基部とを備えた最後方歯用の歯列矯正ブラケットであって、案内孔の長さが５ｍｍ以上であり、歯列矯正ワイヤの端部を案内孔の内部に収容できるようにしたことを特徴とする歯列矯正ブラケットを提供することによって解決される。
【００１４】
これにより、案内孔に収容した歯列矯正ワイヤの端部から案内孔の開口端までの距離を長く確保することが可能になる。したがって、歯列に沿った長さが当初より変化した場合であっても、歯列矯正ワイヤの端部が案内孔の開口端から突き出たり抜け落ちたりしないようにすることが可能になり、歯列矯正ワイヤの端部を案内孔の内部に確実に収容させることができるようになる。
【００１５】
ここで、最後方歯とは、歯列矯正を行う際に歯列矯正ブラケットが固定される複数本の歯のうち、最も後方（口内奥側）にある歯のことをいう。患者の歯が永久歯である場合には、通常、第二大臼歯が最後方歯として選択されるが、第二大臼歯がまだ生えていない場合や、歯列矯正の形態によっては、第一大臼歯や第三大臼歯など、第二大臼歯以外の歯が最後方歯として選択されることもある。また、患者の歯が乳歯である場合には、通常、第二乳臼歯が最後方歯として選択されるが、第一乳臼歯など、第二乳臼歯以外の歯が選択されることもある。
【００１６】
これに対し、最後方歯よりも前方（口内手前側）にある歯を前方歯と呼ぶことがある。例えば、第二大臼歯を最後方歯として選択した場合には、第一大臼歯、第二小臼歯、第一小臼歯、第一小臼歯、犬歯、側切歯、中切歯が前方歯となる。前方歯の頬側面又は舌側面には、前方歯用の歯列矯正ブラケットが固定される。前方歯に固定された歯列矯正ブラケットには、本発明の歯列矯正ブラケットで両端部を支持された歯列矯正ワイヤが移動可能な状態で支持される。前方歯は、歯列矯正ワイヤからトルクを受け、望ましい位置へと導かれるようになる。
【００１７】
本発明の歯列矯正ブラケットにおいて、本体部や固定基部の形態は、とくに限定されないが、固定基部を帯状に形成し、本体部を固定基部の一方の面に設け、固定基部の他方の面を最後方歯に接着することによって本体部を最後方歯の頬側面又は舌側面に固定できるようにすると好ましい。これにより、最後方歯に対する固定位置の選択自由度が高い歯列矯正ブラケットを提供し、歯列にかかるトルクをより高い精度で調節することが可能になる。
【００１８】
このとき、本体部及び固定基部の後端（口内奥側に向けられる端部）を最後方歯が配される側に折り曲げて、本体部及び固定基部の後端（口内奥側を向く端部）を最後方歯の隅角部に沿わせることができるようにすると好ましい。これにより、本体部及び固定基部の後端を最後方歯の隅角部にひっかけた状態で歯列矯正ブラケットを固定することが可能になり、歯列矯正ブラケットの安定性を向上させることができる。また、案内孔を最後方歯の遠心面（口内奥側を向く面）まで延長し、案内孔の長さをさらに長く確保することもできるようになる。
【００１９】
一方、固定基部を環状に形成し、本体部を固定基部の外面に設け、固定基部を最後方歯の外側に嵌め込むことによって本体部を最後方歯の頬側面又は舌側面に固定できるようにすることも好ましい。これにより、最後方歯に対して歯列矯正ブラケットを容易に固定することができるようになる。また、金属などが被せられた治療中の歯であっても、歯列矯正ブラケットをしっかりと固定することが可能になる。
【００２０】
このほか、最後方歯と他の歯とを連結する弾性材を掛けるためのフックを備えることも好ましい。これにより、歯列矯正ブラケットに顎間ゴムやパワーチェーンなどを装着することが可能になり、さらに複雑で高度な歯列矯正を行うことができるようになる。
【発明の効果】
【００２１】
以上のように、本発明によって、左右の最後方歯を結ぶ歯列に沿った長さが変化した場合であっても、歯列矯正ワイヤの端部を突き出させることなく、快適で安全な最後方歯用の歯列矯正ブラケットを提供することが可能になる。
【発明を実施するための最良の形態】
【００２２】
本発明の歯列矯正ブラケットを、図面を用いてより具体的に説明する。
【００２３】
１．０  第一実施態様の歯列矯正ブラケット
まず、第一実施態様の歯列矯正ブラケットについて説明する。図１は、第一実施態様の歯列矯正ブラケット１００を示した図である。図２は、第一実施態様の歯列矯正ブラケット１００を最後方歯（第一大臼歯２０６）の頬側面に固定して歯列を矯正している様子を最後方歯の頬側面の側から見た状態を示した図である。図３は、第一実施態様の歯列矯正ブラケット１００を最後方歯（第一大臼歯２０６）の頬側面に固定して歯列を矯正している様子を最後方歯の咬合面の側から見た状態を示した図である。図４は、図３における歯列矯正ブラケット１００の周辺部（Ａ部）を拡大した状態を示した図である。
【００２４】
第一実施態様の歯列矯正ブラケット１００は、最後方歯が第一大臼歯２０６である場合に好適に用いることができるものとなっている。以下においては、第二大臼歯がまだ生えておらず第一大臼歯２０６が最後方歯である患者に対して歯列矯正を行う場合を例にとって説明する。
【００２５】
第一実施態様の歯列矯正ブラケット１００は、図１〜図４に示すように、歯列矯正ワイヤ３００の端部を第一大臼歯２０６の幅径方向に沿わせて案内するための本体部１１０と、本体部１１０を第一大臼歯２０６の頬側面に固定するための固定基部１２０とを備えたものとなっている。本体部１１０には、歯列矯正ワイヤ３００を案内するための案内孔１１１が設けられている。
【００２６】
歯列矯正ブラケット１００は、適度な強度を有するものであればよく、その素材をとくに限定されるものではないが、通常、金属や樹脂やセラミックスなどで形成される。本体部１１０と固定基部は、互いに接着されており、一体化されている。
【００２７】
１．１  本体部
本体部１１０は、チューブ状であれば、その形態を特に限定されるものではないが、第一実施態様の歯列矯正ブラケット１００においては、略半円柱状の躯体の長手方向に沿って案内孔１１１を設けたものとなっている。このように、本体部１１０を角のない丸まった形状にすることによって、歯列矯正ブラケット１００を患者の口内を刺激しにくいものとすることができる。また、食べかすなどが本体部１１０に溜まらないようにすることも可能になる。
【００２８】
案内孔１１１は、本体部１１０の前面（口内手前側に向けられる面）側にのみ開口端を有し、後面（口内奥側に向けられる面）側が塞がれたものであってもよいが、本体部１１０の前面から後面まで貫通するものであると好ましい。これにより、案内孔１１１の内部に食べかすなどが溜まらないようにすることが可能になる。
【００２９】
第一実施態様の歯列矯正ブラケット１００において、案内孔１１１の断面形状は、円形となっているが、歯列矯正の形態や使用する歯列矯正ワイヤ３００の種類などによっては、楕円形や方形などの他の形状を採用することもできる。また、案内孔１１１の貫通方向を本体部１１０の中心軸に対して傾斜させたり、案内孔１１１の径を深さに応じて変化させたりしてもよい。
【００３０】
案内孔１１１の径は、使用する歯列矯正ワイヤ３００の径に応じて適宜設定され、歯列矯正ワイヤ３００の径よりも僅かに小さな値に設定される。これにより、歯列矯正ワイヤ３００の端部を案内孔１１１で円滑に案内することが可能になる。しかし、案内孔１１１の内周面と歯列矯正ワイヤ３００の外周面との隙間を大きく設定しすぎると、その隙間に食べかすが溜まりやすくなるために注意する。
【００３１】
案内孔１１１の長さ（案内孔１１１の前方の開口端から後方の開口端までの貫通方向に沿った長さ）は、５ｍｍ以上であればとくに限定されないが、６ｍｍ以上であると好ましい。これにより、案内孔１１１に収容した歯列矯正ワイヤ３００の端部から案内孔１１１の開口端までの距離をさらに長く確保することが可能になる。したがって、歯列矯正ワイヤ３００の端部を案内孔１１１の内部により確実に収容させることができるようになる。また、歯列矯正ワイヤ３００の長さに僅かな誤差があっても、歯列矯正ワイヤ３００の端部を案内孔１１１の内部に確実に収容することもできるようになるために、歯列矯正ワイヤ３００の長さ調節にかかる手間を軽減することも可能になる。案内孔１１１の長さは、７ｍｍ以上であるとより好ましく、８ｍｍ以上であるとさらに好ましい。
【００３２】
しかし、案内孔１１１を長くしすぎると、歯列矯正ブラケット１００の寸法を大きくする必要が生じ、歯列矯正ブラケット１００を第一大臼歯２０６に固定しにくくなるおそれがある。このため、案内孔１１１の長さは、通常、１５ｍｍ以下に設定される。案内孔１１１の長さは、１２ｍｍ以下であると好ましく、１０ｍｍ以下であるとより好ましい。第一実施態様の歯列矯正ブラケット１００において、案内孔１１１の長さは、約９ｍｍとなっており、平均的な成人男性の下顎第三大臼歯の幅径と略同じ値に設定されている。
【００３３】
また、本体部１１０における歯茎側の面には、フック１１２が設けられている。このフック１１２には、第一大臼歯２０６を他の歯に連結するための糸状の弾性材（顎間ゴムやパワーチェーンなど）が掛けられる。このように、複数本の歯を弾性材で連結することによって、複数本の歯を所望の箇所に集めることなどが可能になる。フック１１２の先端は球状に形成されており、患者の口内を傷つけないようになっている。
【００３４】
１．２  固定基部
第一実施態様の歯列矯正ブラケット１００において、固定基部１２０は帯状に形成されたものとなっている。上述の本体部１１０は、この固定基部１２０の一方の面に設けられている。固定基部１２０の他方の面は、接着剤などが塗布されて第一大臼歯２０６の頬側面に接着される接着面となっている。
【００３５】
帯状の固定基部１２０は、その幅や長さをとくに限定されるものではないが、通常、本体部１１０と同じか、一回り大きな寸法に設定される。第一実施態様の歯列矯正ブラケット１００において、固定基部１２０は、幅が約３ｍｍで長さが約１０ｍｍとなっている。固定基部１２０の厚さは約１ｍｍに設定されている。
【００３６】
また、固定基部１２０は、平らに形成されていてもよいが、第一実施態様の歯列矯正ブラケット１００においては、図４に示すように、僅かに円弧状に湾曲させており、その接着面側に反らせた形状となっている。このため、固定基部１２０の接着面を第一大臼歯２０６の頬側面に沿わせることができるようになっている。
【００３７】
２．０  第二実施態様の歯列矯正ブラケット
次に、第二実施態様の歯列矯正ブラケットについて説明する。図５は、第二実施態様の歯列矯正ブラケット１０１を示した図である。図６は、第二実施態様の歯列矯正ブラケット１０１を最後方歯（第二大臼歯２０７）の頬側面に固定して歯列を矯正している様子を最後方歯の頬側面の側から見た状態を示した図である。図７は、第二実施態様の歯列矯正ブラケット１０１を最後方歯（第二大臼歯２０７）の頬側面に固定して歯列を矯正している様子を最後方歯の咬合面の側から見た状態を示した図である。図８は、図７における歯列矯正ブラケット１０１の周辺部（Ｂ部）を拡大した状態を示した図である。
【００３８】
第二実施態様の歯列矯正ブラケット１０１は、最後方歯が第二大臼歯２０７である場合に好適に用いることができるものとなっている。以下においては、第一実施態様の歯列矯正ブラケット１００を用いて歯列矯正を行っていた患者に第二大臼歯２０７が生えてきて、最後方歯が第一大臼歯２０６から第二大臼歯２０７へと変わった場合を例にとって説明する。この場合、第一大臼歯２０６に固定されていた第一実施態様の歯列矯正ブラケット１００は、第一小臼歯２０４や第二小臼歯２０５に固定している歯列矯正ブラケット４００と同様のものに取り替えてもよいが、とくに取り替えるべき理由もないので、以下においては、歯列矯正ブラケット１００をそのまま用いている。
【００３９】
第二実施態様の歯列矯正ブラケット１００は、図５〜図８に示すように、固定基部１２０の後端（口内奥側に向けられる端部）が第二大臼歯２０７が配される側に折り曲げられたものとなっており、その折り曲げられた部分を第二大臼歯２０７の頬側面と遠心面とで形成される隅角部に沿わせることができるようになっている。このため、固定基部１２０を第二大臼歯２０７に安定して固定することができるようになっている。
【００４０】
固定基部１２０の後端の折り曲げ角度（固定基部１２０の後端における接着面と、固定基部１２０の後端以外の部分における接着面とがなす角度）は、第二大臼歯２０７の形状に個人差があるために、とくに限定されないが、通常、５〜９０°に設定される。第二実施態様の歯列矯正ブラケット１０１において、固定基部１２０の後端の折り曲げ角度は、約40°となっている。
【００４１】
固定基部１２０の後端の折り曲げ長さ（折り曲げられた部分の長手方向に沿った長さ）もとくに限定されないが、通常、１ｍｍ以上に設定される。固定基部１２０の後端の折り曲げ長さが１ｍｍ未満であると、そもそも折り曲げ加工自体が困難となるためである。固定基部１２０の後端の折り曲げ長さは、１．５ｍｍ以上であると好ましく、２ｍｍ以上であるとより好ましい。
【００４２】
一方、固定基部１２０の後端の折り曲げ長さを、長く設定しすぎると、患者が違和感を感じるおそれがある。このため、固定基部１２０の後端の折り曲げ長さは、通常、５ｍｍ以下に設定される。固定基部１２０の後端の折り曲げ長さは、４ｍｍ以下であると好ましく、３ｍｍ以下であるとより好ましい。第二実施態様の歯列矯正ブラケット１０１において、固定基部１２０の後端の折り曲げ長さは、約２．５ｍｍとなっている。
【００４３】
３．０  第三実施態様の歯列矯正ブラケット
続いて、第三実施態様の歯列矯正ブラケットについて説明する。図９は、第三実施態様の歯列矯正ブラケット１０２を示した図である。
【００４４】
第三実施態様の歯列矯正ブラケット１０２は、図９に示すように、固定基部１２０が環状に形成されたものとなっている。歯列矯正ワイヤを案内する本体部１１０は、固定基部１２０の外面に設けられている。第三実施態様の歯列矯正ブラケット１０２は、固定基部１２０を最後方歯の外側に嵌め込むことによって本体部１１０を最後方歯の頬側面に固定するものとなっている。
【００４５】
このように、固定基部１２０を環状に形成することによって、接着剤を用いることなく、歯列矯正ブラケット１０２を最後方歯に固定することができる。第三実施態様の歯列矯正ブラケット１０２は、最後方歯が虫歯で治療中である場合であっても、好適に用いることができる。固定基部１２０以外の部分については、第一実施態様の歯列矯正ブラケット１００や第二実施態様の歯列矯正ブラケット１０１で説明した構成と略同様であるために、説明を割愛する。
【００４６】
４．０  歯列矯正ワイヤ
続いて、本発明の歯列矯正ブラケット１００〜１０２に好適に用いることのできる歯列矯正ワイヤ３００について説明する。歯列矯正ワイヤ３００は、図２と図３に示すように、前方歯に固定されたそれぞれの歯列矯正ブラケット４００の案内孔１１１に通して用いるものとなっている。歯列矯正ワイヤ３００は、歯列矯正ブラケット４００で歯列方向に移動可能な状態で支持される。案内孔１１１に通された歯列矯正ワイヤ３００は、歯列矯正ブラケット４００を介して前方歯にトルクを加え、前方歯を望ましい位置へと導くようになる。このトルクは、歯列矯正ブラケット４００によって弓状に弾性変形させられている歯列矯正ワイヤ３００が元の形状に戻ろうとする復元力によるものである。
【００４７】
本実施態様の歯列矯正ワイヤ３００は、断面円形の糸状のものを用いている。しかし、歯列矯正ワイヤ３００の断面形状は、これに限定されることなく、歯列矯正の態様などに応じて、方形などの他の形状にすることもできる。
【００４８】
歯列矯正ワイヤ３００の径は、歯列矯正ワイヤ３００の素材などによっても異なり、とくに限定されない。しかし、歯列矯正ワイヤ３００の径を小さくしすぎると、歯列矯正ワイヤ３００の弾性が弱くなりすぎるだけでなく、歯列矯正ワイヤ３００の強度が著しく低下するおそれがある。このため、歯列矯正ワイヤ３００の径は、通常、０．１ｍｍ以上である。
【００４９】
一方、歯列矯正ワイヤ３００の径を大きく設定しすぎると、歯列矯正ワイヤ３００の弾性が強くなりすぎて、前方歯に過度なトルクが加えられるおそれがある。また、歯列矯正ワイヤ３００が目立ち見栄えが悪くなるおそれもある。このため、歯列矯正ワイヤ３００の径は、通常、０．５ｍｍである。歯列矯正ワイヤ３００の径は、０．４ｍｍ以下であると好ましく、０．３ｍｍ以下であるとより好ましい。本実施態様の歯列矯正ワイヤ３００の径は、約０．２ｍｍとなっている。
【００５０】
歯列矯正ワイヤ３００の素材は、適度な弾性と強度を有するものであれば、とくに限定されないが、通常、金属である。本実施態様の歯列矯正ワイヤ３００は、軽量ながらも強度に優れ、防錆性にも優れたステンレスで形成されている。
【００５１】
歯列矯正ワイヤ３００の長さは、左右の最後方歯を結ぶ歯列に沿った長さに応じて適宜調節される。例えば、平均的な成人男性の左下顎第三大臼歯と右下顎第三大臼歯とを最後方歯とする場合には、歯列矯正ワイヤ３００の長さは、通常、１２０〜１３０ｍｍに設定される。歯列矯正ワイヤ３００の長さは、以下のことを念頭に決定すると好ましい。
【００５２】
すなわち、歯列矯正ワイヤ３００の端部から案内孔１１１の後方（口内奥側）の開口端までの距離（以下、距離Ｌ１と呼ぶ）を２ｍｍ以上確保できるようにする。これにより、左右の最後方歯を結ぶ歯列に沿った長さ（以下、長さＬ０と呼ぶ）が当初より短くなった場合であっても、歯列矯正ワイヤ３００の端部が案内孔１１１の後方の開口端から突き出にくくすることができる。長さＬ０は、通常、歯列が整ってくるにつれて短くなる。距離Ｌ１は、３ｍｍ以上確保すると好ましく、４ｍｍ以上確保するとさらに好ましい。歯列矯正ブラケット１００〜１０２では、距離Ｌ１を約４．５ｍｍ確保すると最適である。
【００５３】
一方、歯列矯正ワイヤ３００の端部から案内孔１１１の前方（口内手前側）の開口端までの距離（以下、距離Ｌ２と呼ぶ）を２ｍｍ以上確保する。これにより、歯列矯正ワイヤ３００の端部が案内孔１１１の前方の開口端から抜け落ちにくくすることができる。距離Ｌ２は、３ｍｍ以上確保すると好ましく、４ｍｍ以上確保するとさらに好ましい。歯列矯正ブラケット１００〜１０２では、距離Ｌ２を約４．５ｍｍ確保すると最適である。
【００５４】
４．０  前方歯用の歯列矯正ブラケット
前方歯に固定する歯列矯正ブラケット４００は、歯列矯正ワイヤ３００を歯列の方向に沿って移動させることが可能な状態で支持するものであればとくに限定されず、各種の歯列矯正ブラケットを用いることができる。
【図面の簡単な説明】
【００５５】
【図１】第一実施態様の歯列矯正ブラケットを示した図である。
【図２】第一実施態様の歯列矯正ブラケットを最後方歯（第一大臼歯）の頬側面に固定して歯列を矯正している様子を最後方歯の頬側面の側から見た状態を示した図である。
【図３】第一実施態様の歯列矯正ブラケットを最後方歯（第一大臼歯）の頬側面に固定して歯列を矯正している様子を最後方歯の咬合面の側から見た状態を示した図である。
【図４】図３における歯列矯正ブラケットの周辺部（Ａ部）を拡大した状態を示した図である。
【図５】第二実施態様の歯列矯正ブラケットを示した図である。
【図６】第二実施態様の歯列矯正ブラケットを最後方歯（第二大臼歯）の頬側面に固定して歯列を矯正している様子を最後方歯の頬側面の側から見た状態を示した図である。
【図７】第二実施態様の歯列矯正ブラケットを最後方歯（第二大臼歯）の頬側面に固定して歯列を矯正している様子を最後方歯の咬合面の側から見た状態を示した図である。
【図８】図７における歯列矯正ブラケットの周辺部（Ｂ部）を拡大した状態を示した図である。
【図９】第三実施態様の歯列矯正ブラケットを示した図である。
【符号の説明】
【００５６】
１００  第一実施態様の歯列矯正ブラケット
１０１  第二実施態様の歯列矯正ブラケット
１０２  第三実施態様の歯列矯正ブラケット
１１０  本体部
１１１  案内孔
１１２  フック
１２０  固定基部
２０４  左下顎の第一小臼歯
２０５  左下顎の第二小臼歯
２０６  左下顎の第一大臼歯
２０７  左下顎の第二大臼歯
３００  歯列矯正ワイヤ
４００  歯列矯正ブラケット（前方歯用）
【図１】
2007289346.tif 000003
【図２】
2007289346.tif 000004
【図３】
2007289346.tif 000005
【図４】
2007289346.tif 000006
【図５】
2007289346.tif 000007
【図６】
2007289346.tif 000008
【図７】
2007289346.tif 000009
【図８】
2007289346.tif 000010
【図９】
2007289346.tif 000011